(57)【要約】【課題】アンテナ線ホルダ等をプリント基板等とともに配置しつつ薄型化を実現するとともに、外圧による筐体の凹状変形を阻止し、内部部品を保護することができる薄型ディスプレイ装置を提供する。また映像化処理回路上を避けてアンテナ線を配線し、アンテナ線と映像化処理回路との信号間の影響を抑制して安定したアンテナ性能を得ることができる薄型ディスプレイ装置を提供する。【課題を解決するための手段】薄型筐体と薄型筐体の内部に配置され構造部材として機能する平板状金属シャーシとからなり、アンテナと平板状金属シャーシに固定されたプリント基板とアンテナ線とアンテナ線収納溝を有し、この溝により映像化処理回路上を避けてアンテナ線を所定の経路に配線し、平板状金属シャーシに対してねじ止めされてプリント基板を平板状金属シャーシとの間で狭持するアンテナ線ホルダとからなる薄型ディスプレイ装置を提供する。【選択図】図９
2008026740.tif 000002
【特許請求の範囲】
【請求項１】
薄型筐体と、薄型筐体の内部に配置され薄型筐体主面と略同じ大きさで構造部材として機能する平板状金属シャーシと、からなる薄型ディスプレイ装置であって、
ディスプレイに表示すべき信号を受信するアンテナと、
平板状金属シャーシに固定され、アンテナ受信信号を映像化処理する映像化処理回路を形成したプリント基板と、
アンテナから映像化処理回路に受信信号を伝達するアンテナ線と、
アンテナ線収納溝を有し、この溝により映像化処理回路上を避けてアンテナ線を所定の経路に配線するとともに、平板状金属シャーシに対してねじ止めされて前記プリント基板を平板状金属シャーシとの間で狭持するアンテナ線ホルダと、
からなる薄型ディスプレイ装置。
【請求項２】
アンテナ線ホルダは、アンテナ線を収納しない非収納領域を有し、かつ前記プリント基板の平板状金属シャーシとの間での挟持は、非収納領域によってなされる請求項１に記載の薄型ディスプレイ装置。
【請求項３】
非収納領域は、プリント基板と直接的に接せず、プリント基板に直接的に接する領域よりも厚さが薄い間接非収納領域を有し、この間接非収納領域は、プリント基板上にて映像化処理回路を構成する集積回路パッケージ上に配置され、プリント基板上の集積回路パッケージを平板状金属シャーシとの間で挟持する請求項２に記載の薄型ディスプレイ装置。
【発明の詳細な説明】
【技術分野】
【０００１】
本発明は、プリント基板をアンテナ線ホルダと平板状金属シャーシとの間で挟持する構造を有する薄型ディスプレイ装置に関する。
【背景技術】
【０００２】
薄型ディスプレイ装置の分野においては、一方で小型軽量化、携帯の容易化のための薄型化がますます追求される一方、他方においてかかる薄型化に伴う構造強度の低下を防ぐため、外力に強くかつ装置内部に配置された電子部品などを保護するのに適した素材や形状の工夫が従来からなされてきた。例えば、特許文献１においては、筐体の平面部に、段差部や溝部を間隔を狭めて複数設け、そこに形成されるスペースに装置の制御回路基板等を配置することで、筐体の強度を向上させ、制御回路基板に実装された加圧に弱い部品や装置内にある部品を保護するための技術が開示されている。
【特許文献１】特開２００４‐３２５８４４号公報
【発明の開示】
【発明が解決しようとする課題】
【０００３】
しかし、無線伝送対応のディスプレイ装置においては、薄型化を図るに際してさらに以下の二つの点を考慮しなければならない。第一に、かかる無線伝送対応の薄型ディスプレイ装置にあっては、装置内に配置すべき部品として、プリント基板等の電子部品に加え、ディスプレイに表示すべき信号を受信するアンテナや、アンテナから映像化処理回路に受信信号を伝達するアンテナ線が存在する。さらに、アンテナ線を所定の経路に配線するとともにアンテナ線を保護するためにアンテナ線をアンテナ線ホルダに収納することが望ましく、かかる場合にはアンテナ線ホルダも装置内に配置すべき部品に追加されることになる。このため、こうした様々な部材を収納した上で薄型化を図らなければならず、従来以上に薄型化のためのスペースの節約が必要となる。第二に、薄型化に際しては装置内におけるアンテナ線の配線方法を特に考慮する必要がある。なぜなら、このことを考慮しないと、選局手段以降の映像処理回路や音声処理回路上にアンテナ線が配線されてしまう場合があり、高周波の受信信号が前記の各処理回路に影響を与え、ノイズが入るなどして本来の処理を正しく行うことができなくなるおそれがあるからである。また、最近のデジタル放送受信機においては、多種の非常に高いマイコンクロック周波数を使用するために、アンテナ線の高周波の受信信号と相互干渉し、ノイズが発生し易いという問題もあるからである。
【０００４】
そこで、本発明が解決すべき課題は、無線伝送対応のディスプレイ装置において、アンテナ、アンテナ線、アンテナ線ホルダをプリント基板等とともに配置しつつ、これらの部材の一部を構造部材としても機能させることにより、スペースを節約しながら薄型化を実現するとともに、外圧による筐体の凹状変形を阻止し、内部部品を外圧から保護することができる薄型ディスプレイ装置を提供することにある。また、映像化処理回路上を避けてアンテナ線を配線し、アンテナ線と映像化処理回路との信号間の影響を抑制することで、受信信号へのノイズの入り込みを防ぎ、安定したアンテナ性能を得ることができる薄型ディスプレイ装置を提供することにある。
【課題を解決するための手段】
【０００５】
以上の課題を解決するため、本発明のうち、請求項１に記載の発明は、薄型筐体と、薄型筐体の内部に配置され薄型筐体主面と略同じ大きさで構造部材として機能する平板状金属シャーシとからなる薄型ディスプレイ装置であって、ディスプレイに表示すべき信号を受信するアンテナと、平板状金属シャーシに固定され、アンテナ受信信号を映像化処理する映像化処理回路を形成したプリント基板と、アンテナから映像化処理回路に受信信号を伝達するアンテナ線と、アンテナ線収納溝を有し、この溝により映像化処理回路上を避けてアンテナ線を所定の経路に配線するとともに、平板状金属シャーシに対してねじ止めされて前記プリント基板を平板状金属シャーシとの間で狭持するアンテナ線ホルダとからなる薄型ディスプレイ装置を提供する。また、請求項２に記載の発明は、アンテナ線ホルダは、アンテナ線を収納しない非収納領域を有し、かつ前記プリント基板の平板状金属シャーシとの間での挟持は、非収納領域によってなされる請求項１に記載の薄型ディスプレイ装置を提供する。また、請求項３に記載の発明は、非収納領域は、プリント基板と直接的に接せず、プリント基板に直接的に接する領域よりも厚さが薄い間接非収納領域を有し、この間接非収納領域は、プリント基板上にて映像化処理回路を構成する集積回路パッケージ上に配置され、プリント基板上の集積回路パッケージを平板状金属シャーシとの間で挟持する請求項２に記載の薄型ディスプレイ装置を提供する。
【発明の効果】
【０００６】
本発明により、無線伝送対応のディスプレイ装置において、アンテナ、アンテナ線、アンテナ線ホルダをプリント基板等とともに配置しつつ、これらの部材の一部を構造部材としても機能させることにより、スペースを節約しながら薄型化を実現するとともに、外圧による筐体の凹状変形を阻止し、内部部品を外圧から保護することができる薄型ディスプレイ装置を提供することができる。また、映像化処理回路上を避けてアンテナ線を配線し、アンテナ線と映像化処理回路との信号間の影響を抑制することで、受信信号へのノイズの入り込みを防ぎ、安定したアンテナ性能を得ることができる薄型ディスプレイ装置を提供することができる。
【発明を実施するための最良の形態】
【０００７】
以下に、本発明の実施例を説明する。実施例と請求項の相互の関係は以下のとおりである。実施例１は主に請求項１などに関し、実施例２は主に請求項２などに関し、実施例３は主に請求項３などに関する。なお、本発明はこれらの実施例に何ら限定されるものではなく、その要旨を逸脱しない範囲において、種々なる態様で実施しうる。
【実施例１】
【０００８】
<概要>
本実施例の薄型ディスプレイ装置は、プリント基板をアンテナ線ホルダと平板状金属シャーシとの間で挟持する構造を有する点に特徴を有するものである。
【０００９】
<構成>
図１は、本実施例の薄型ディスプレイ装置の一例を、図２は本実施例に必要な構成を中心とした薄型ディスプレイ装置の裏面から見た分解斜視図を示す。本実施例の「薄型ディスプレイ装置」（０１００、０２００）は、「薄型筐体」（０１１０、０２１０）と、「平板状金属シャーシ」（０２２０）とからなり、さらに「アンテナ」（０２３０）と、「映像化処理回路」（０２４０）と、「アンテナ線」（０２５０）と、「アンテナ線ホルダ」（０２６０）とを有する。また、ディスプレイ板や偏光板、導光板、ベゼルなどからなるディスプレイユニット（０２７０）などその他必要な部材を有しているものとする。
「薄型筐体」（０１１０、０２１０）は、電子部品を内部に収納するための薄型の箱体をいう。「電子部品」とは、ディスプレイ装置としての機能を果たすための基板、ディスプレイ板、バッテリー等に加え、その他必要なスピーカー、端子等の内部部品をいう。また、「薄型」とは、ディスプレイ装置の厚さが、ディスプレイ装置のディスプレイ面の縦横の長さに比べ、小さいものをいう。図１に示すように、縦、横、高さ（厚さ）の長さをそれぞれＸ、Ｙ、Ｗとした場合に、例えば、Ｘ、Ｙに対しＷが約１／２０から１／１０程度のものは薄型ということができる。例えば、薄型筐体のＸ×Ｙ×Ｗが、それぞれ２０ｃｍ以上×３５ｃｍ以上×２ｃｍ以下の範囲のサイズであるディスプレイ装置は、本発明のディスプレイ装置に該当する。
「平板状金属シャーシ」（０２２０）は、薄型筐体の内部に配置され薄型筐体主面と略同じ大きさで構造部材として機能する。「構造部材」とは、外力による電子機器の全部又は一部の変形・破壊を阻止することを目的として配置される部材である。従来のディスプレイ装置の多くは、筐体が構造部材として機能していたため、筐体に機械的強度を持たせる必要があり、装置の薄型化に限界があった。それに対して、筐体内部に配置される金属シャーシを構造部材とすることにより、より薄型化・軽量化を図ることができる。図３（１）に平板状金属シャーシの一例を示す。金属シャーシ（０３２０）は、図３（２）に示すように、薄型筐体（０３１０）の主面と略同じ外形を有し、前記主面の略全体をカバーする平板状の形状を有する。「薄型筐体の主面」とは、ディスプレイ装置の前面を形成する面をいう。このような形状とすることにより、ディスプレイ装置全体の機械的強度を高めることができ、かつディスプレイ装置の薄型化・軽量化を図ることができる。
また、平板状金属シャーシの材質は、一定の形状を保持可能な剛性を有する金属であれば特に限定されない。好ましくは、アルミニウム、チタン、又はマグネシウムのいずれか一以上を含む軽量合金製である。これらの材質は、比重が小さいため、金属シャーシの軽量化を図ることができる。また、熱伝導率が高いことから、ディスプレイ装置内部にて発生した熱を効率的に拡散させることができる。
【００１０】
「アンテナ」（０２３０）は、ディスプレイに表示すべき信号を受信するように構成されている。図２においては、シート状のアンテナで示しているが、この形状に限られない。
図４に示すように、「映像化処理回路」（０４４０）は、平板状金属シャーシ（０４２０）に固定され、アンテナ受信信号を映像化処理するように構成されている。映像化処理回路とは、受信信号をディスプレイに表示するための変換処理を行う回路をいい、映像のみならず、受信信号中の音声信号の処理を行う音声処理回路や電源処理回路なども含んでいてもよい。また、一の基板により構成されていてもよいし、複数の基板から構成されていてもよい。映像化処理回路は、平板状金属シャーシに固定することにより、平板状金属シャーシの高い機械的強度により映像化処理回路を保護することができる。
「アンテナ線」（０２５０）は、アンテナから映像化処理回路に受信信号を伝達するように構成されている。アンテナ線は、銅線などからなるケーブルである。アンテナ線はノイズの入り込みを防ぐため、導体により被包されたシールド構造としてもよい。
【００１１】
「アンテナ線ホルダ」（０２６０）は、アンテナ線収納溝を有し、アンテナ線を所定の経路に配線するように構成されている。図５（１）は、アンテナ線ホルダの一例を示している。図５（２）は（１）の（０５６２）部分の拡大図、図５（３）は（１）のＸ−Ｘ'断面を示している。「アンテナ線収納溝」（０５６０）とは、アンテナ線を誘導及び固定するための形状であり、図５（３）に示すようなアンテナ線（０５５０）の側面及び底面を取り囲む形状をいう。また、アンテナ線の上面に図６に示すような凸部（０６６１）を設け、アンテナが上部に出ない構造としてもよい。
また、アンテナ線ホルダは、アンテナ線を映像化処理回路上を避けて所定の経路に配線するとともに、平板状金属シャーシと薄型筐体との両者に挟持されるように配置される。「映像化処理回路上を避けて」とは、金属シャーシ上に固定されている映像化処理回路とアンテナ線とが重ならないように配置されることをいう。映像化処理回路は複数の基板からなるが、図７の斜線部分に示すように、それらの基板（０７４０）間にアンテナ線ホルダ（０７６０）が配置される。これにより、映像化処理回路上にアンテナ線が配線されることがないため、映像化処理回路において使用される非常に高いマイコンクロック周波数がアンテナ線に影響を与えることがなく、受信信号へのノイズの入り込みを抑えることができ、安定したアンテナ性能を得ることができる。逆に、アンテナ線の高周波の受信信号が、映像化処理回路に影響を与えることもない。また、同様の理由により、アンテナ線ホルダが配置される平板状金属シャーシの他の面にディスプレイ板が配置されるようにすることが好ましい。液晶パネル等を含むディスプレイ板を、金属シャーシを挟んでディスプレイ板とアンテナ線とを異なる面に配置することにより、ディスプレイ板からの受信信号へのノイズの入り込みを抑えることができる。図８は、アンテナと映像化処理回路を繋ぐアンテナ線の配線の一例を示している。アンテナ（０８３０）に繋がったアンテナ線（０８５０）は、アンテナ線ホルダ（０８６０）のアンテナ線収納溝に収納されて、映像化処理回路（０８４０）まで配線される。
【００１２】
さらに、このアンテナ線ホルダは、平板状金属シャーシに対してねじ止めされてプリント基板を平板状金属シャーシとの間で挟持するように構成される。
図９は、アンテナ線ホルダ（０９６０）（薄墨で示す）が平板状金属シャーシ（０９２０）に対してねじ（０９７０）でねじ止めされてプリント基板（本図ではこれに加え後述する集積回路パッケージも含む）（０９４０）（斜線で示す）を平板状金属シャーシとの間で挟持している状態の一例を示す。なお、アンテナ線ホルダは、図８から明らかなように一体的に形成された１個の部材であるが、図９では他の部材と一緒に表示されているため、区別の容易化の観点から便宜上その随所に（０９６０）の符号を付した。また、平板状金属シャーシのうち奥側の外周部に配置された壁上の部分（０９２０ａ）は、バッテリーケース（図示を省略）を収納するための辺構造壁であり、（０９３０）はアンテナである。
図１０は、図９に示した各部材を互いに分離した状態で示した図であって、下から順に平板状金属シャーシ（１０２０）、プリント基板（１０４０）、アンテナ線ホルダ（１０６０）、さらに平板状金属シャーシとアンテナ線ホルダ止めるねじ（１０７０）を示す。本図に示すように、平板状金属シャーシ（１０２０）の２個のねじ穴（１０２０ａ）とそれぞれと破線で結んだアンテナ線ホルダ（１０６０）のねじ穴（１０６０ａ）とがその延長上にあるねじ（１０７０）でねじ止めされ、その間にプリント基板（１０４０）が挟持される。
また、図１１は、この状態をさらに詳細に説明するため、図９右下隅の破線円（０９６０ａ）で囲んだ領域の拡大図であり、図１２は図１１の線Ｘ１−Ｘ１´で垂直方向に切断したときに概ね矢印Ｙ方向（厳密にはやや上方）から見た断面図である。図１１では、アンテナ線ホルダ（１１６０）が平板状金属シャーシ（１１２０）に対してねじ（１１７０）でねじ止めされている状態が示されており、図１２において、横線部分（１２６０ａ）はアンテナ線ホルダ（１２６０）の断面、左上がり斜線部分（１２２０ａ）は平板状金属シャーシ（１２２０）の断面、右上がり斜線部分（１２７０ａ）はねじ（１２７０）の断面を示す。
【００１３】
なお、図９から図１１までにおいては、図９で言えば手前側の辺におけるねじ止め（２箇所）についてのみ説明したが、アンテナ線ホルダ全体としては、図８に（０８６０ａ）として示す４箇所のねじ穴を有している例を示したように、アンテナ線ホルダ全体を平板状金属シャーシに固定できる位置にねじ穴を有する。そこで、これらのねじ穴と、これに対応する位置にある平板状金属シャーシのねじ穴とを合わせてねじ止めすることにより、アンテナ線ホルダが平板状金属シャーシとの間で挟持しているプリント基板に対して密着する構造となる。このため、プリント基板が平板状金属シャーシに対して強く、広い面積で固定されることとなり、全体としての剛性、強度も向上する。
【００１４】
なお、その際に、プリント基板をより強く固定する観点から、アンテナ線ホルダの一部がプリント基板を直接上から押さえつけるような構造としてもよい、例えば、図９、１０で示すアンテナ線ホルダ（０９６０、１０６０）のうち破線長円で囲んだ部分（０９６０ｂ、１０６０ｂ）は、両図を対比すれば明らかなように、アンテナ線ホルダがプリント基板を直接上から押さえつけている例である。ただし、この場合、直接押さえつけているアンテナ線ホルダ部分にはアンテナ線を入れることはできない。これは既述のように受信信号が映像化処理回路に影響を与えるおそれがあるからである。従って、このようにアンテナ線ホルダの一部がプリント基板を直接上から押さえつけるような構造とする場合には、アンテナ線ホルダにはアンテナ線を収納しない部分（非収納領域）があることが必要となる。
【００１５】
<効果>
本実施例の発明により、無線伝送対応のディスプレイ装置において、アンテナ、アンテナ線、アンテナ線ホルダをプリント基板等とともに配置しつつ、これらの部材の一部を構造部材としても機能させることにより、スペースを節約しながら薄型化を実現するとともに、外圧による筐体の凹状変形を阻止し、内部部品を外圧から保護することができる薄型ディスプレイ装置を提供することができる。また、映像化処理回路を避けてアンテナ線を配線し、アンテナ線と映像化処理回路との信号間の影響を抑制することで、受信信号へのノイズの入り込みを防ぎ、安定したアンテナ性能を得ることができる薄型ディスプレイ装置を提供することができる。
【実施例２】
【００１６】
<概要>
本実施例の薄型ディスプレイ装置は、基本的に実施例１の装置と共通する。ただし、本実施例の装置は、アンテナ線を収納しない非収納領域を有し、プリント基板の平板状金属シャーシとの間での挟持は、非収納領域によってなされる点に特徴を有する。
【００１７】
<構成>
本実施例の薄型ディスプレイ装置は、実施例１のそれと基本的に共通する。ただし、図８に一例を示すように、本実施例の薄型ディスプレイ装置のアンテナ線ホルダ（０８６０）は、アンテナ線（０８５０）を収納しない非収納領域を有し（実施例１と異なり必須構成要素である）、プリント基板の平板状金属シャーシとの間での挟持は、この非収納領域によってなされるように構成されている。また、アンテナ線ホルダの非収納領域は、アンテナ線が収納されないため、アンテナ線収納溝を有する必要はなく、支持柱となるような形状であればどのような形状であってもよい。図１３に、アンテナ線ホルダの別の一例を示す。フレキシブル回路基板などの強度の弱い部材の周囲は、アンテナ線ホルダの外圧に対する強度を高めるため、（１３６１）や（１３６２）に示すようなリブ形状を有していてもよい。
【００１８】
図１４は、本実施例のアンテナ線ホルダ（１４６０）がプリント基板（１４４０）を平板状金属シャーシとの間に狭持している状態を示す平面図である。また、図１５は本図に示すアンテナ線ホルダのうち非収納領域を示すため、図１４のうちアンテナ線ホルダのみを示す（１５６０）とともに、非収納領域を破線長円（１５６０ｂ、１５６０ｃ）で囲んで示したものである。なお、（１５６０ｂ）は、プリント基板に直接接するように配置された領域、（１５６０ｃ）は、プリント基板に直接接することなく、プリント基板上にて映像化処理回路を構成する集積回路パッケージ上に配置されたものを示す（次実施例にて詳述する）が、本実施例では後者はなくてもよい。
図１６は、図１４の線Ｘ２−Ｘ２´で垂直方向に切断したときに概ね破線円（１４６０ａ）で囲んだ非収納領域を概ね矢印Ｙ方向（やや上方）から見た拡大断面図である。本図に示すように、アンテナ線ホルダの非収納領域（１６６０ｂ）がプリント基板（１６４０）を直接上から押さえつける形で、これを平板状金属シャーシ（１６２０）との間に狭持している。
このような構造とすることで、アンテナ線ホルダを板全面に張り巡らし、かつプリント基板を直接金属シャーシに固定することが可能となり、アンテナ線ホルダが外圧による筐体の凹状変形を阻止し、内部部品であるプリント基板を外圧から保護することができる。また、これによって、端の数箇所でねじ止めするだけでも、プリント基板を平板状金属シャーシとの間で挟持し、これを確実に固定することができる。
【００１９】
<効果>
本実施例の発明により、アンテナ線ホルダを板全面に張り巡らし、かつプリント基板を直接金属シャーシに固定することが可能となり、アンテナ線ホルダが外圧による筐体の凹状変形を阻止し、内部部品であるプリント基板を外圧から保護することができる。また、これによって、端の数箇所でねじ止めするだけでも、プリント基板を平板状金属シャーシとの間で挟持し、これを確実に固定することができる。
【実施例３】
【００２０】
<概要>
本実施例の薄型ディスプレイ装置は、基本的に実施例２の薄型ディスプレイ装置と共通するが、非収納領域は、プリント基板と直接的に接せず、プリント基板に直接的に接する領域よりも厚さが薄い間接非収納領域を有し、この間接非収納領域は、プリント基板上にて映像化処理回路を構成する集積回路パッケージ上に配置され、プリント基板上の集積回路パッケージを平板状金属シャーシとの間で挟持する点に特徴を有する。
【００２１】
<構成>
本実施例の薄型ディスプレイ装置は、実施例２のそれと基本的に共通する。即ち、図８に示したように、本実施例の薄型ディスプレイ装置のアンテナ線ホルダ（０８６０）は、アンテナ線（０８５０）を収納しない非収納領域を必須構成要素として有する。かつ、この非収納領域は、プリント基板と直接的に接せず、プリント基板に直接的に接する領域よりも厚さが薄い間接非収納領域を有し、この間接非収納領域は、プリント基板上にて映像化処理回路を構成する集積回路パッケージ上に配置され、プリント基板上の集積回路パッケージを平板状金属シャーシとの間で挟持するように構成されている。
「集積回路パッケージ」は、映像化処理回路をパッケージに格納してプリント基板上に配置したものであり、従ってある程度の厚み（数ｍｍ程度））を有するものである。そこで、非収納領域をこのパッケージ上に配する場合は、その厚みの分非収納領域の厚さを薄くする必要がある。「間接非収納領域」はかかるパッケージ上に配するために厚さを薄くした非収納領域をいう。
図１５において（１５６０ｃ）で示す非収納領域は、いずれもかかる間接非収納領域の例である。
図１４の破線円（１４６０ｂ）で囲んだ領域内において、（１４６０ｃ）はアンテナ線ホルダの間接非収納領域であり、（１４４１）（斜線で示す）は、当該間接非収納領域の下及びその付近に配置されている集積回路パッケージである。
図１７は、図１４の破線円（１４６０ｂ）領域を概ね矢印Ｙ´方向（やや上方）から見た拡大斜視図である。図中（１７６０ｃ）が図１４で（１４６０ｃ）として示したアンテナ線ホルダの間接非収納領域であり、（１７４１）（斜線で示す）が同じく（１４４１）として示した集積回路パッケージである。本図に示すように、集積回路パッケージはある程度の厚みを有しており、アンテナ線ホルダの間接非収納領域（１７６０ｃ）はその上に配置される。
図１８は、図１７の線Ｘ３‐Ｘ３´で垂直方向に切断したときに概ね矢印Ｙ´方向（やや上方）から見た断面図である。本図において、横線部分（１８６０ｄ）はアンテナ線ホルダの間接非収納領域（１８６０ｃ）の断面、左上がり斜線部分（１８４１ａ）は集積回路パッケージ（１８４１）の断面、右上がり斜線部分（１８４０ａ）はプリント基板の断面、（１８２０ａ）は平板状金属シャーシの断面を示す。
【００２２】
かかる構造とすることで、プリント基板上に集積回路パッケージが配置されて厚みがある場合でも、当該部分においてはプリント基板上の集積回路パッケージを直接上から押さえつける形で間接的にプリント基板を押さえつけることができるため、全体として、アンテナ線ホルダによってプリント基板に密着させて固定することが可能となる。
【００２３】
<効果>
本実施例の発明により、プリント基板上に集積回路パッケージが配置されて厚みがある場合でも、全体として、アンテナ線ホルダによってプリント基板に密着させて固定することが可能となり、アンテナ線ホルダが外圧による筐体の凹状変形を阻止し、内部部品であるプリント基板を外圧から保護することができる。また、これによって、端の数箇所でねじ止めするだけでも、プリント基板を平板状金属シャーシとの間で挟持し、これを確実に固定することができる。
【図面の簡単な説明】
【００２４】
【図１】実施例１の薄型ディスプレイ装置の一例を示す図
【図２】実施例１の薄型ディスプレイ装置の一例を示す分解斜視図
【図３】実施例１の薄型ディスプレイ装置の平板状金属シャーシの一例を示す図
【図４】実施例１の薄型ディスプレイ装置の平板状金属シャーシの映像化処理回路の配置の一例を示す図
【図５】実施例１の薄型ディスプレイ装置のアンテナ線ホルダの一例を示す図
【図６】実施例１の薄型ディスプレイ装置アンテナ線ホルダの一例を示す拡大図
【図７】実施例１の薄型ディスプレイ装置の映像化処理回路とアンテナ線ホルダの関係を説明する図
【図８】実施例１から実施例３までの薄型ディスプレイ装置のアンテナ線の配線の一例を示す図
【図９】実施例１の薄型ディスプレイ装置のアンテナ線ホルダがねじ止めされてプリント基板を平板状金属シャーシとの間で挟持している状態の一例を示す図
【図１０】実施例１の薄型ディスプレイ装置のアンテナ線ホルダ、プリント基板、平板状金属シャーシ互いに分離した状態で示した図
【図１１】実施例１の薄型ディスプレイ装置のアンテナ線ホルダがねじ止めされてプリント基板を平板状金属シャーシとの間で挟持している状態を示す拡大図
【図１２】図１１のＸ１‐Ｘ１´断面図
【図１３】実施例２のアンテナ線ホルダの一例を示す図
【図１４】実施例２、実施例３の薄型ディスプレイ装置のアンテナ線ホルダがプリント基板を平板状金属シャーシとの間に狭持している状態を示す平面図
【図１５】実施例２、実施例３の薄型ディスプレイ装置のアンテナ線ホルダ及びそのうち非収納領域を示す図
【図１６】図１４のＸ２−Ｘ２´拡大断面図
【図１７】実施例２の薄型ディスプレイ装置のアンテナ線ホルダの間接非収納領域の拡大図
【図１８】図１７のＸ３‐Ｘ３´断面図
【符号の説明】
【００２５】
０１００      薄型ディスプレイ装置
０１１０      薄型筐体
０２５０      アンテナ線
０９２０      平板状金属シャーシ
０９３０      アンテナ
０９４０      プリント基板
０９６０      アンテナ線ホルダ
０９７０      ねじ
１０２０ａ    平板状金属シャーシのねじ穴
１０６０ａ    アンテナ線ホルダのねじ穴
１４４１      集積回路パッケージ
１５６０ｂ    アンテナ線ホルダの非収納領域
１５６０ｃ    アンテナ線ホルダの間接非収納領域
【図１】
2008026740.tif 000003
【図２】
2008026740.tif 000004
【図３】
2008026740.tif 000005
【図４】
2008026740.tif 000006
【図５】
2008026740.tif 000007
【図６】
2008026740.tif 000008
【図７】
2008026740.tif 000009
【図８】
2008026740.tif 000010
【図９】
2008026740.tif 000011
【図１０】
2008026740.tif 000012
【図１１】
2008026740.tif 000013
【図１２】
2008026740.tif 000014
【図１３】
2008026740.tif 000015
【図１４】
2008026740.tif 000016
【図１５】
2008026740.tif 000017
【図１６】
2008026740.tif 000018
【図１７】
2008026740.tif 000019
【図１８】
2008026740.tif 000020